(57)【要約】【課題】従来のハンドマイクに比較してセキュリテイ性の高いハンドマイクを提供する。【解決手段】本発明は、ハンドマイク内に各センサ子機に対する通信機能を持たせ、各センサ子機に割り当てられたＩＤ別に音声情報を出力する音声ＲＯＭ、及びハンドマイク使用者の状態を検知するモーションセンサを備え、別の携帯無線機と接続して基地局に通報する事も出来ると同時に、当ハンドマイク携帯者が直接行動を起こせる、即応性に富んだセキュリテイ用ハンドマイクを提供する事にある。【選択図】図２
2011097172.tif 000002
【特許請求の範囲】
【請求項１】
第一の無線通信ユニットを内蔵した複数のセンサ子機と通信可能な第一の無線通信ユニットを内蔵すると共に、第二の無線通信ユニットに接続可能とする接続ラインを備え、センサ子機からのＩＤを含むデータ信号を受信するとセンサ子機のＩＤに相当する音声データを出力する音声ＲＯＭを備えたハンドマイク。
【請求項２】
上記ハンドマイクにモーションセンサを内蔵し、モーションセンサが一定期間反応しない時、異常があったものとして、ハンドマイク所持者に対し内蔵された音声ＲＯＭからメッセージを出力した後、ハンドマイク毎に割り当てられたＩＤを含むデータを第二の無線通信ユニットを使って、通報できるように構成された請求項１記載のハンドマイク。
【請求項３】
上記ハンドマイクに音声ＲＯＭ内の特定メッセージを間欠的又は連続的に第二の無線ユニットに送信する緊急通報モードと、ハンドマイクのＩＤを含むデータを周期的に第一の無線ユニット又は第二の無線ユニット又は第一第二の無線ユニットの両方に送信する定送信機能モードを切り替えるか又は同時に働かせる機能を備えた請求項２記載のハンドマイク。
【発明の詳細な説明】
【技術分野】
【０００１】
本発明は、複数のセンサ子機と通信するセキュリテイ用ハンドマイクの構成とそのシステムに関する。
【背景技術】
【０００２】
従来の携帯無線機用ハンドマイクは、自身の音声やテンキー等のデュアルトーン多重周波数（ＤＴＭＦ）信号を付属の無線機器を介して送信するためや、付属の無線機の受信信号をハンドマイクに内蔵されたスピーカより発音させる程度の機能しか持っていなかった。
【０００３】
図９は従来のハンドマイクのブロック図である。スピーカ信号ライン１９−１とマイク信号ライン１９−２と電源供給ライン１９−３は携帯型無線機に接続される。スピーカ信号ライン１９−１からの音声信号は、スピーカ１１でハンドマイク使用者に出力される。マイク１２は使用者の声を音声信号化しマイク信号ライン１９−２から携帯型無線機に供給される。ＤＴＭＦ信号発生ＩＣ１３はＤＴＭＦ信号を発生し、信号混合器１７−２を介してマイク信号ライン１９−２に供給される。
【０００４】
上記以外の機能を持たせるため、マイクが接続できるインターフェイス機器を別ユニットとして提供された構成の製品が存在する。例えば、特許文献１において、基地局用無線伝送装置にマイクインターフェイス及び無線機インターフェイス及びパーソナルコンピュータとのインターフェイスを備え、集中的に管理するものがある。
【先行技術文献】
【特許文献】
【０００５】
【特許文献１】特開２００３−００８５２７号公報。
【発明の概要】
【発明が解決しようとする課題】
【０００６】
しかしながら、以下のような問題点があった。
（１）基地局用無線伝送装置を介しての通信が主体としているので、即応性に掛ける欠点がある。
（２）一つの無線機器で全ての通信を担っているため通信エラーの問題が起きやすい。
（３）基地局用無線伝送装置に多数のインターフェイス機器を接続して使用するため、可搬性、携帯性に難がある。
（４）システムが大きくなり、コストが高くつく。
【０００７】
本発明は、従来の欠点を解決するためになされたもので、ハンドマイク内に通信機能を持たせて、別の携帯無線機と接続して基地局に通報する事も出来ると同時に、当ハンドマイク携帯者が直接行動を起こせる、即応性に富んだ携帯無線機用セキュリテイハンドマイクの構成を提供する事にある。
【課題を解決するための手段】
【０００８】
本発明のハンドマイクは、通常の無線機用のマイクとスピーカを内蔵する外に、複数のセンサ子機と通信するための第一の無線ユニットと、あらかじめ必要な音声メッセージを記憶した音声読み出し専用メモリ（音声ＲＯＭ）と、動きを検出するモーションセンサと、第一の無線ユニット及び音声ＲＯＭとモーションセンサからの信号を検出制御するマイクロプロセッサ（ＣＰＵ）と、ＣＰＵのデータバックアップ及び緊急用の短時間用いる補助電源として使う充電式電池又は電気二重層コンデンサと、マイク信号ラインにＣＰＵからの信号を混合する信号混合器と、音声ＲＯＭの音声信号をスピーカラインに切り替える信号切り替え器を備える。
【０００９】
本発明のハンドマイクと接続する携帯型無線機の間は、スピーカ信号線と、マイク信号線と、無線機より電源を供給する電源線でのみで接続され、携帯型無線機は、第一の無線ユニットとは異なる周波数で通信する汎用の携帯型無線機であり、携帯型無線機は、周波数及び出力電力の異なる、第二の無線ユニットを内蔵した無線機として構成されている。
【００１０】
監視対象となる個別のセンサ子機の夫々にハンドマイクの第一の無線ユニットと通信する同形式の第一の無線ユニットを内蔵する。センサ子機には、侵入者を検出する人体検出センサを内蔵する侵入者センサユニットや、火災を検出するための煙又は炎を検出する火災センサユニットや、室内や特定部位の異常な温度上昇を検出する温度センサユニットや、別の監視機器やセンサ装置からの情報を受けて異常かどうかの判定を行い、異常であれば緊急呼び出しのための信号を送出すると共に、音声での通信も可能な緊急呼び出しユニットを備える。
【００１１】
センサ子機の個別ユニットには、第一の無線ユニットと通信する同形式の第一の無線ユニットを搭載する。第一の無線ユニットは小型化が必要なため、２．４ＧＨｚ帯の周波数が使いやすいが、他の周波数の無線ユニットであっても良い。また、個別のユニットは限定したものではなく、各種の状態を検出するセンサユニットが用いる事ができる。
【００１２】
センサ子機の個別ユニットは、外部電源又は太陽電池又は燃料電池等で、長期間作動できるように構成される。個別ユニットには、夫々にＩＤ番号が割り付けられ、特定のユニットに異常があれば、状況データのほかＩＤ番号を含んだデータが、個別ユニットの第一の無線ユニットからハンドマイク内の第一の無線ユニットに通報される。
【００１３】
通報されたハンドマイクは、内蔵のＣＰＵでＩＤ番号を認識してＩＤ番号に対応する音声によるメッセージを音声ＲＯＭから選択して、内蔵のスピーカからメッセージを発音させる。例えば、１階の階段に設置してある侵入者センサユニットからの通報なら“浸入者を１階の入り口で検出しました”と発音させる。
【００１４】
本発明のハンドマイクは、通常、警備員等の監視者が携帯無線機と接続して携帯するもので、異常があったユニットからの対応したメッセージ出力により、即座に異常があった場所に急行したり、通常のマイク機能を使って、携帯型無線機を介して、基地局無線機器の管理者と交信して指示を仰いだり、応援を要請する事も可能である。
【００１５】
さらに、本発明のハンドマイクには、振動センサ等のモーションセンサを内蔵し、これを携帯している警備員に一定時間以上の動きが無ければ、警備員に異常があったものとして、警備員に異常通報をして良いか確認メッセージを発し、異常で無い場合、その警備員が異常通報をキャンセルし、キャンセルできない状況にあれは、携帯型無線機を介して自動的に基地局に異常を通報する緊急通報機能も備える。
【００１６】
また、多数のハンドマイクが使用状態にある場合、ハンドマイク自身にもＩＤコードを持たせて、ハンドマイクに内蔵された第一の無線ユニット、又は接続された第二の無線ユニット、又は内蔵された第一無線ユニット及び接続された第二の無線ユニットの両方で、定期的に基地局にＩＤコードを含んだデータを送信し、複数のハンドマイクが稼動中であることを基地局で認識できる間欠送信機能も有する。
【００１７】
ハンドマイクを接続する携帯無線機は、通常のマイクスピーカ接続端子に電源供給端子を備えた無線機であれば、汎用の極超短波帯（ＵＨＦ）及び超短波帯（ＶＨＦ）帯の無線機が利用できる。
【００１８】
さらに、ハンドマイクの第一の無線ユニットで受信されたセンサ子機ユニットからのデータには、ＩＤコードの他に状況データをも含み、状況データはハンドマイクのＣＰＵ  によって変換されたデータ形式でマイク信号ラインに流される。
そのデータは、携帯無線機側の第二の無線通信ユニットのＣＰＵで、このデータが取り込まれ、関連情報を自身のＬＣＤ上に表示し、基地局に伝達する機能を有する。例えば、温度センサユニットで検出された温度が実際何度であったかを、携帯無線機のＬＣＤ上に表示し、音声通信はもちろんの事、基地局無線機にデータ伝送する。
【００１９】
基地局無線機のＣＰＵには、第二の無線ユニットと同形式の無線ユニットを備え、音声通信及びデータ通信が可能で、パーソナルコンピュータ（以降ＰＣと称す）を介して、インターネットと接続して、さらに遠隔地の管理者に情報を伝達する機能を有する。
【００２０】
基地局無線機には、ＰＣが接続され、携帯型無線機からの状況情報の内容及び状況情報の連絡時刻等の時間情報を含めて、ＰＣ内のメモリに保存する機能も備える。
【００２１】
さらに、ハンドマイクには、機能を切り替えるモードスイッチを備え、先記のハンドマイク機能以外に、緊急事態が発生時、簡単な操作で緊急通報できる緊急通報機能及び、間欠送信機能により警備員の居場所の測位、及び、警備員を特定するためのセキュリテイ分野で使用するパス信号（認証のための信号）送信機としての機能も備えている。
【００２２】
なお、緊急通報機能及び間欠送信機能は、短時間のデータ通信モードであるため、音声通話中の隙間にこれらのデータ送信区間を埋め込み、時分割的にこれらの機能を働かせれば、モードスイッチを削除した構成も実施可能である。
【発明の効果】
【００２３】
以上のように、本発明によれば、監視対象となるセンサ子機からの信号を比較的近距離にいる本発明ハンドマイクを携帯する警備員が即座に受信し、分かりやすい音声メッセージ情報を受け取る事が出来るので、異常があった場合の即応性に優れる効果がある。また、ハンドマイク内に内蔵したモーションセンサにより、警備員自身の状態も基地局側で認識できる安全性の高い機能を備える。
【００２４】
本発明によれば、携帯型無線機は汎用のハンディ無線機が利用でき、表示や大容量データの記憶などの高度な機能は無線で連結する基地局のＰＣに負担させる事で、高度なシステムを安価なコストで実現できる効果がある。
【００２５】
本発明によれば、センサ子機と比較的近距離にいる本発明ハンドマイクを携帯する警備員は、比較的混信等の妨害が少ない２．４ＨＧｚ帯の周波数を選べるので、混信の可能性の多いＶＨＦやＵＨＦ帯で混信があったとしても、少なくともハンドマイクを携帯する警備員は、異常状態を認識する事ができる効果がある。
【００２６】
この発明によれば、本ハンドマイクに備えたモードスイッチにより、緊急事態が発生時、簡単な操作で緊急通報できる緊急通報機能及び、間欠送信機能により警備員の居場所の測位、及び、警備員を特定するためのパス信号送信機としての機能も併設しているので、セュリティ性の高いハンドマイクを提供できる。
【図面の簡単な説明】
【００２７】
【図１】本発明のシステムの全体図である。
【図２】本発明のハンドマイクのブロック図である。
【図３】本発明に使われる第一の無線通信ユニットのブロック図である。
【図４】本発明の侵入者センサユニットのブロック図である。
【図５】本発明の緊急呼び出しユニットのブロック図である。
【図６】本発明の第一の無線通信ユニットで使われるデータ伝送フォーマットである。
【図７】本発明の第二の無線通信ユニットブロック図である。
【図８】本発明のハンドマイクの複合モードでのフローチャートである。
【図９】従来のハンドマイクのブロック図である。
【発明を実施するための形態】
【００２８】
以下、本発明の実施の形態を図面と共に詳細に説明する。
図１は本発明のシステムの全体図である。本システムには、警備員９が携帯するハンドマイク１０と、各個別の場所に取り付けられたセンサ子機がある。センサ子機には、侵入者を検出する浸入者センサユニット３、炎や煙を検出する火災センサユニット４、特定場所の温度を検出する温度センサユニット５、及び別の監視機器やセンサ装置からの情報を受けて異常かどうかの判定を行い、異常であれば緊急呼び出しのための信号を送出すると共に、音声での通信も可能な緊急呼び出しユニット６を備える。
【００２９】
浸入者センサユニット３、火災センサユニット４、温度センサユニット５、緊急呼び出しユニット６には、外部電源又は太陽電池又は燃料電池等で長期間作動できるように構成された電源２、及び各ユニットのＩＤ番号と状況データを無線で送信する第一の無線ユニット１−２、１−３、１−４、１−５が夫々のユニットに内蔵する。尚、センサユニットは実施例では、４種類で説明しているか、実質的にはＩＤ番号が割り当て可能な数分のユニットが設置可能で、センサ形式も多種多様なセンサやそれらのセンサを組み合わせたユニットとして構成可能である。
【００３０】
緊急呼び出しユニット６には、別の監視機器である画像センサ８からのデータを周期的取り込み、前回取り込んだデータと今回取り込んだデータに差があれば異常が発生したとする機能や、外部マイク７で収集した音響信号をデジタル化信号に変換してデータに重畳させる機能を備えている。
【００３１】
ハンドマイク１０は、センサ子機からのデータを受信できる第一の無線ユニット１−１を備えると共に、有線で警備員９が携帯する携帯型無線機２０に接続される。携帯型無線機２０には、第一の無線ユニットとは異なる周波数及び出力電力の第二の無線ユニット２１−１を備える。第二の無線ユニットは、ユニットとして説明しているか、汎用無線機の中の無線機回路として一体的に構成されることもできる。
【００３２】
携帯型無線機２０は、基地局無線機３０と通信するため、携帯型無線機２０と同様の第二の無線ユニット２１−２を備える。基地局無線機３０には、管理者４０が操作できるＰＣ４１が接続できるように構成され、ＰＣはインターネット回線４２と接続でき、遠隔地のＰＣ４３にデータを送信し、遠隔地からの監督者５０の指令を受ける事ができる。
【００３３】
図２は、本発明のハンドマイク１０のブロック図である。ハンドマイク１０には、警備員９に音響信号を発音するスピーカ１１と、警備員９が発声した音声を受けるマイク１２と、ハンドマイクの第一の無線通信ユニット１−１と、モーションセンサ１４と、音声ＲＯＭとを統合的に制御するＣＰＵ１３−１と、第一の無線ユニットとのインターフェイスラインである１３−３と、ＣＰＵ１３−１のデータバックアップ及び緊急用の短時間用いる補助電源１３−２と、ＣＰＵ１３−１からの音声メッセージを増幅するスピーカアンプ１８と、無線機からのスピーカ信号とＣＰＵ１３−１からの音声メッセージをスピーカ信号ライン１９−１で切り替える切り替え器１７−１と、マイクの小さい出力信号を増幅するマイクアンプ１６と、無線機へのマイク信号ライン１９−２にＣＰＵ１３−１からのデータ信号を混合する信号混合器１７−２と、無線機から主電源の供給を受ける電源供給ライン１９−３と、マイク信号ライン１９−２を介してプレスツートーク（ＰＴＴ）制御信号を送るＰＴＴスイッチ１３−４と、ハンドマイクの機能を切り替えるモードスイッチ１３−５を備える。
【００３４】
モーションセンサ１４は、ハンドマイク１０を携帯している警備員９の動きを検出するもので、振動センサや加速度センサや焦電センサや傾斜センサ等、何らかの動きを検出する形式のセンサを用いる。警備員９に一定時間（例えば３０秒間）以上の動きが無ければ、警備員９に異常があったものとして、誤報防止のため一度、警備員９に異常通報をして良いか確認メッセージを音声ＲＯＭ１５から出力し、異常で無い場合、その警備員が異常通報をキャンセルし、異常があってキャンセルできない状況にあれは、一定時間（例えば５秒間）後に携帯無線機を介して自動的に基地局に異常を通報する機能も備える。
【００３５】
音声ＲＯＭ１５は、各センサ子機のＩＤ番号に対応する音声メッセージをＲＯＭ化したデータを保存していて、指定のＩＤ番号がＣＰＵ１３−１で認識されると、相当するメッセージを返し、スピーカアンプ１８から切り替え器１７−１を介してスピーカに導かれ、警備員９に対し音声出力される。例えば、火災センサユニットに異常があれば、“４階に火災が発生しました”と発生する。ＩＤに対応するメッセージ以外にも、前記の警備員９に対して異常通報をして良いかの確認メッセージのデータも保存され、適宜にＣＰＵ１３−１からの指示で読み出される。
【００３６】
音声ＲＯＭ１５のメッセージの内容は、対応するＩＤによってメッセージデータを割り当て、実施例では、一つのセンサユニットに対して一つのＩＤを割り当てしているが、一つのセンサユニットに複数のＩＤを割り当て、状況により異なるＩＤを送出して、現象を分離する事もできる。例えば、火災の場合、煙センサで検出したのか、炎センサ検出したのか、熱センサで検出したのかによって、複数のメッセージ割り当てれば、あらかじめ多くの情報を入手できるため、事前の準備ができる。
【００３７】
ＣＰＵ１３−１は、通常、電源供給ライン１９−３から電源が供給され、マイクアンプ１６、スピーカアンプ１８、モーションセンサ１４、第一の無線ユニット１−１への電源の供給をするが、データバックアップ及び緊急用の短時間用いるための充電式電池又は電気二重層コンデンサで構成された補助電源１３−２を備え、電源供給ライン１９−３から充電され、電源供給ライン１９−３が供給されなくなった時、切り替えて補助電源として使用する機能も有する。
【００３８】
また、第一の無線ユニット１−１は、同じシステム内では同じ無線チャンネルを使用するように設定される。又、ハンドマイク自身にも個々のＩＤ番号が割り当てられ、何か異常があったハンドマイクを容易に特定できる。
【００３９】
ＣＰＵ１３−１には、ＰＴＴスイッチ１３−４が接続され、単信通信の送信起動スイッチとして作動する他、モーションセンサ１４で異常を検出した時、警備員９に異常通報をして良いか確認メッセージを音声ＲＯＭ１５から出力したあとの、キャンセルスイッチとしての機能も備える。
【００４０】
ＣＰＵ１３−１には、さらに、モードスイッチ１３−５を備え、通常はハンドマイクモードであるが、モードを切り替える事により、緊急通報モードに移行する。このモードではＲＯＭ１５内にあらかじめ保存された通報メッセージを間欠的または連続的に送信できる機能を備える。
【００４１】
モードスイッチ１３−５を、さらに切り替えることにより、間欠送信モードに移行する。間欠送信モードでは、ハンドマイク毎に割り当てられたＩＤを含むデータを間欠的に、例えば数秒間隔で送信する。この信号は、第一の無線ユニット、又は第二の無線ユニット、又は両方の無線ユニットから送信できる機能を備える。
【００４２】
第一の無線ユニットと第二の無線ユニットは使用する周波数帯域を変えているため、電波の伝播特性も特徴があり、使用環境にあわせて周波数を選択し、二つの周波数の無線信号を送信することで、本ハンドマイク１０の位置を測位する事も容易になる。
【００４３】
このモード切り替えは手動スイッチによる他、ハンドマイクの特定部分に触れるとそのモードに移行する等、簡単な操作により切り替えが出来るように構成される。また、モードの種類は、ＣＰＵ１３−１のアナログ入力ポートを使えば多数の切り替え段数を容易に追加できる。
【００４４】
また、緊急通報モードや間欠送信モードは、短時間のデータ通信モードであるため、音声通話中の隙間にこれらのデータ送信区間を埋め込み、時分割的にこれらの機能を働かせれば、モードスイッチを削除した複合モードとして働かせる事ができる。
【００４５】
図８に、複合モードの動作を示すフローチャートにより説明する。ステップＳ１でハンドマイクモードの設定チェックを行い、設定されていれば、ステップＳ２でセンサ子機からのデータの有無を確認し、データがあればステップＳ３でＩＤを読み出し、ステップＳ４でＩＤに対応するメッセージを音声ＲＯＭから取り出し、ステップＳ５でスピーカから音声メッセージを出力する。
【００４６】
次に、ステップＳ６で間欠送信モードの設定チェックを行い、設定されていれば、ステップＳ７でハンドマイクに対応するＩＤデータを付加し、ステップＳ８で間欠送信する周波数の設定状態をチェックする。ステップＳ９では、第一の無線ユニットで送信するかを判定し、ステップＳ１０では、第二の無線ユニットで送信するかを判定し、ステップＳ１１では、第一の無線ユニットと第二の無線ユニットの両方で送信するかを判定し、Ｓ１２，Ｓ１３，Ｓ１４でそれそれ送信が実行される。
【００４７】
ステップＳ１５では、緊急通報モードの設定チェックを行い、設定されていれば、ステップＳ１６で設定された警報メッセージが音声ＲＯＭから取り出され、第二の無線ユニットを介して送信される。
【００４８】
なお設定状態は、ハンドマイクのＣＰＵ１３−１に予めプログラムされても良いし、ＣＰＵ１３−１のポートに設定スイッチを設けて働かせる事ができる。
【００４９】
また、ＩＤ送信期間など短時間の処理であるため、通常のハンドマイク使用時にも、並行して作動させる事ができ、マイク使用時、メッセージをスピーカ出力から聞く事もでき、マイクを通して第二の無線ユニットに送ることもできる。通常の受信音と重複することもあるが、センサ子機からのスピーカ出力を優先させて出力させる。また、警報メッセージは警備員がマイクにより会話できない状態にあるため、メッセージ送信期間が長くても実害なく使用できる。
【００５０】
図３は、第一の無線ユニットのブロック図を示す。第一の無線ユニットには、主構成要素として、第一の無線回路の制御及びデータの入出力制御を行う第一の無線ユニットのＣＰＵ１Ｄと、２．４ＧＨｚ無線（ＲＦ）トランシーバ１Ｅと、２．４ＧＨｚＲＦ出力アンプ１Ｆと、出力フィルタ1Ｇと、送受信アンテナ１Ｈを備える。
【００５１】
ＣＰＵ１Ｄは、外部機器と送信するためのシリアルデータ入力端子１Ｂと、シリアルデータ出力端子1Ｃと、電源端子１Ａを備える。ＲＦトランシーバ1Ｅの代表的なＩＣとして、ＴＥＸＡＳ  ＩＮＳＴＲＵＭＥＮＴＳ（登録商標）社のＣＣ２５００があり、２．４ＧＨｚ出力アンプ１Ｆには、同社のＣＣ２５９０が利用でき、小型かつ安価に１０ｍＷのＲＦ出力の無線送受信データユニットを構成できる。
【００５２】
第一の無線ユニット１−１、１−２、１−３、１−４、１−５は、全て同じ構成の無線ユニットで、使用する無線チャンネルは、あらかじめ同じ無線チャンネルに設定され、ＩＤ番号のみ個々のユニットに割り当てられたＩＤに設定される。設定チャンネルを変えれば、多数の同システムのグループが同じ領域内に混在する事も可能である。
【００５３】
図４は、センサ機器ユニットの一つである図１の侵入者センサユニット３のブロック図を示す。侵入者センサユニット３には、焦電センサ３Ｂと、焦電センサ３Ｃと、このセンサユニットの動作を制御するＣＰＵ３Ｄと、ＩＤを設定するＩＤ設定スイッチ３Ａと、無線ユニット１−２を備える。ＩＤ設定スイッチ３Ａや無線チャンネル設定は、スイッチによる設定の他、ＣＰＵ３Ｄのプログラムで設定する事も可能で、その場合、ＩＤ設定スイッチ３Ａは省略できる。
【００５４】
無線ユニット１−２とＣＰＵ３Ｄは、電源端子３Ｅと、シリアルデータ入力端子３Ｆと、シリアルデータ出力端子３Ｇで相互に接続され、焦電センサで検出された信号により、異常正常の判定をして、異常と判定された場合、第一の無線ユニット１−２を介して、ハンドマイク１０に通報される。
【００５５】
焦電センサは人体等から出た赤外線を検出するので、例えば、焦電センサ３Ｂと焦電センサ３Ｃを室内の入り口の横方向に離れた２箇所に設置しておいて、焦電センサ３Ｂが反応した後に焦電センサ３Ｃが反応すれば人が出室し、焦電センサ３Ｃが反応した後に焦電センサ３Ｂ反応すれば人が入室したと判断できるので、入室者を禁止している場合、焦電センサ３Ｂ、３Ｃの反応順序でＣＰＵ３Ｄが判定して警報信号を送ったり、出室者の人数を知らせる事ができる。
【００５６】
図１の全体図では、侵入者センサユニット３以外に、火災センサユニット４、温度センサユニット５を含んでいるが、センサの種類が異なるだけで、構成要素は侵入者センサユニット３と同じで、夫々のユニットには、第一の無線ユニット１−２、１−３を含み、それ以外にも多種のセンサを使ったユニットに対応できる事は言うまでも無く、ユニットに夫々異なるＩＤ番号を割り当てることによって多数のセンサ子機が識別可能となる。
【００５７】
図５は、緊急呼び出しユニット６のブロック図を示す。緊急呼び出しユニット６も基本的には、侵入者センサユニット３と同じ構成であるが、画像を認識するイメージセンサ６Ｂ及び画像データメモリ６Ｆを備え、特定の監視区域を定期的に撮影し、前回撮影した画像を画像データメモリ６Ｆにメモリし、今回撮影した画像に規定異常の差があれば、何らかの異常があったものと緊急呼び出しユニットのＣＰＵ６Ｅで判定し通報すると同時に、ＣＰＵ６Ｅに接続されたＡ/Ｄ変換部６Ｃと外部マイク６Ａにより、監視区域の音や音声を伝送できる機能も有する。外部マイク６Ａで採取した音は、アナログ信号であるため、Ａ/Ｄ変換部でデジタル信号化し、ＣＰＵ６Ｅを介して内蔵された第一の無線ユニット１−５を使ってデータを送信する他、スイッチＯＮ／ＯＦＦ６Ｄの入力状態をデータとして送信する機能を有する。
【００５８】
第一の無線ユニット１−１、１−２、１−３、１−４、１−５は、いつでも相互に通信可能であるが、各センサユニットからのデータが重なる場合があり、各ユニットに異なる再送信間隔を割り当て、送信側が受信側でデータが受け取れた事の確認が取るまで送信を反復する。各ユニットに異なる再送信間隔を割り当てているため、一度送信が重複しても、再び重なることなく、最短時間でデータの受信が可能になる。
【００５９】
図６は、第一の無線ユニットで使われるデータ伝送フォーマットの例を示す。最初のデータ部はプリアンブルで、数十ビットのデジタルデータで信号の開始の遅延でデータが消失するのを防ぐ役目を果たす。二番目は同期コードで、本システムで使うグループに共通のコードで、同じグループは同じ同期コードを設定する。三番目はＩＤコードで夫々のセンサユニットで一つ以上のＩＤコードを設定する。四番目は状況データで、警報の有無や数値データや音声圧縮データが設定できる。五番目は前方エラー訂正符号（ＦＥＣ）でデータの誤りを検出補正する誤り訂正符号である。各データ部のビット数は任意に設定できるが、ビット数を多くすれば多数のＩＤを設定可能となる。しかし、データ長が長くなり通信時間が必要となるが、２．４ＧＨｚの周波数を使ったデータ通信なので短時間の通信時間で処理可能である。
【００６０】
図７は、第二の無線ユニット２１−１、２１−２のブロック図である。第二の無線ユニットには、送受信アンテナ２１Ａ、アンテナ切り替え器２１Ｂ、ＲＦアンプ２１Ｃ、混合器２１Ｄ、中間周波数（ＩＦ）アンプ２１Ｅ、検波部２１Ｆ、音声帯域（ＡＦ）アンプ２１Ｇ、スピーカ２１Ｈである受信系回路と、マイク２１Ｎ、マイクアンプ２１Ｏ、混合器２１Ｐ、変調アンプ２１Ｑ、送信アンプ２１Ｒである送信系回路と、電圧制御発振回路（ＶＣＯ）２１Ｉ、位相固定閉回路（ＰＬＬ）２１Ｊである周波数制御系回路と、液晶表示器（ＬＣＤ）２１Ｋ、操作キー２１Ｍ、ＣＰＵ２１Ｌの制御系回路と、外部端子としてデータ入力端子２１Ｓ及びデータ出力端子２１Ｔを備える。
【００６１】
第二の無線ユニットはユニットとして説明しているが、これは一体化されたＶＨＦ又はＵＨＦ帯の無線機の基本回路と同じで、一体化された携帯無線機をそのまま流用可能である。ハンドマイク１０は有線で警備員９が携帯する携帯型無線機２０を接続され、第二の無線ユニット２１−１、２１−２は、第一の無線ユニットとは異なる周波数及び出力電力の第二の無線ユニット２１−１を備える。
【００６２】
携帯型無線機２０と基地局無線機３０は比較的離れた場所から通信するため、第二の無線ユニット２１−１、２１−２は、出力電力が高く取れる周波数の無線機が選択される。第二の無線ユニット２１−１、２１−２は第一の無線ユニットに比べ周波数が低いため、音声通信には有利である。システムコストを抑える関係で、データ通信には最小偏移変調（ＭＳＫ）又は周波数偏移（ＦＳＫ）のデータ変調方式が用いられるが、デジタルデータ通信できる無線機が安価になってくれば、デジタルデータ伝送型無線機を用いたほうが多くのデータを処理容易となる。
【００６３】
基地局無線機３０には、管理者４０が操作できるＰＣ４１が接続できるように構成され、ＰＣはインターネット回線４２と接続でき、遠隔地のＰＣ４３にデータを送信し、遠隔地からの監督者５０の音声指令を受ける事ができるように構成される。
【００６４】
なお、本ハンドマイクは、従来の機能も踏襲していて、基地局との音声通信を相互に行え、ＤＴＭＦ信号の送出はＣＰＵ１３−１から出力することができる。
【産業上の利用可能性】
【００６５】
以上説明したように、本発明に係るハンドマイクによれば、ハンドマイク内に通信機能を持たせて、同じ通信機能をもつ各種のセンサ子機ユニットと交信することができ、どのセンサ子機ユニットに異常が検出されたかどうかを、警備員が認識しやすい音声で直接通報されると同時に、携帯型無線機と接続して基地局に通報する事も出来ると同時に、本ハンドマイクの携帯者が即座に行動を起こせる、即応性に富んだ携帯型無線機用ハンドマイクを提供する事ことができる。
【００６６】
この発明によれば、本ハンドマイクを所持する警備員に異常があった場合、内蔵のモーションセンサにより警備員の状態を検出し、異常があれば自動通報の機能を備え、安全性の高いハンドマイクを提供できる。
【００６７】
この発明によれば、本ハンドマイクには、ハンドマイク機能以外に緊急事態が発生時、簡単な操作で緊急通報できる緊急通報機能及び、間欠送信機能により警備員の居場所の測位、及び、警備員を特定するためのパス信号送信機としての機能も併設しているので、セュリティ性の高いハンドマイクを提供できる。
【符号の説明】
【００６８】
１−１及至１−５…第一の無線ユニット、
１Ａ…第一の無線ユニットの電源ライン、
１Ｂ…シリアルデータ入力、
１Ｃ…シリアルデータ出力、
１Ｄ…第一の無線ユニットのＣＰＵ、
１Ｅ…２．４ＧＨｚ  ＲＦトランシーバ、
１Ｆ…２．４ＧＨｚ  ＲＦ出力アンプ、
１Ｇ…出力フィルタ、
１Ｈ…第一の無線ユニットのアンテナ、
２…各センサユニット電源、
３…侵入者センサユニット、
３Ａ…ＩＤ設定スイッチ、
３Ｂ…焦電センサ１、
３Ｃ…焦電センサ２、
３Ｄ…センサユニットのＣＰＵ、
３Ｅ…電源ライン、
３Ｆ…シリアルデータ入力、
３Ｇ…シリアルデータ出力、
４…火災センサユニット、
５…温度センサユニット、
６…緊急呼び出しユニット、
６Ａ…外部マイク、
６Ｂ…イメージセンサ、
６Ｃ…Ａ／Ｄ変換部、
６Ｄ…スイッチＯＮ／ＯＦＦ入力、
６Ｅ…緊急呼び出しユニットのＣＰＵ、
６Ｆ…画像データメモリ、
６Ｇ…電源ライン、
６Ｈ…シリアルデータ入力、
６Ｉ…シリアルデータ出力、
７…外部マイク、
８…画像センサユニット、
９…警備員、
１０…セキュリティマイク、
１１…スピーカ、
１２…マイク、
１３…ＤＴＭＦ信号発生ＩＣ、
１３−１…セキュリティマイクのＣＰＵ、
１３−２…補助電源、
１３−３…制御信号及び電源制御ライン、
１３−４…ＰＴＴスイッチ、
１３−５…モードスイッチ、
１４…モーションセンサ、
１５…音声ＲＯＭ、
１６…セキュリティマイクのマイクアンプ、
１７−１…信号切り替え器、
１７−２…信号混合器、
１８…セキュリティマイクのスピーカアンプ、
１９−１…スピーカ信号ライン、
１９−２…マイク信号ライン、
１９−３…電源供給ライン、
２０…携帯型無線機、
２１−１,２１−２…第二の無線ユニット、
２１Ａ…送受信アンテナ、
２１Ｂ…アンテナ切り替え器、
２１Ｃ…ＲＦアンプ、
２１Ｄ…混合器、
２１Ｅ…ＩＦアンプ、
２１Ｆ…検波部、
２１Ｇ…ＡＦアンプ、
２１Ｈ…スピーカ、
２１Ｉ…ＶＣＯ、
２１Ｊ…ＰＬＬ、
２１Ｋ…ＬＣＤ、
２１Ｌ…ＣＰＵ、
２１Ｍ…操作キー、
２１Ｎ…マイク、
２１Ｏ…マイクアンプ、
２１Ｐ…混合器、
２１Ｑ…変調アンプ、
２１Ｒ…送信アンプ、
２１Ｓ…データ入力端子、
２１Ｔ…データ出力端子、
３０…基地局無線機、
４０…基地局の管理者、
４１…基地局のパーソナルコンピュータ、
４２…インターネット、
４３…遠隔地のパーソナルコンピュータ、
５０…遠隔地の管理者。
【図１】
2011097172.tif 000003
【図２】
2011097172.tif 000004
【図３】
2011097172.tif 000005
【図４】
2011097172.tif 000006
【図５】
2011097172.tif 000007
【図６】
2011097172.tif 000008
【図７】
2011097172.tif 000009
【図８】
2011097172.tif 000010
【図９】
2011097172.tif 000011